(57)【要約】      （修正有）【課題】ガラスの厚みに関係なく共通で前後の部品が使用でき、コスト面、生産面、在庫管理面などで効果あるショーケースのガラス枠を提供する。【解決手段】断熱パネルで構成するショーケースの本体ケースのトップに遮蔽板としてのガラス９を直立設置する取付溝１０を形成するため設けるショーケースのガラス枠１８において、ガラス枠１８を前記取付溝１０の底側で重合するように前側部材１８ａと後側部材１８ｂに分割し、この重合程度を変更することで、厚さの異なるガラス９に対応できるようにした。【選択図】図１
2011250988.tif 000002
【特許請求の範囲】
【請求項１】
断熱パネルで構成するショーケースの本体ケースのトップに遮蔽板としてのガラスを直立設置する取付溝を形成するため設けるショーケースのガラス枠において、ガラス枠を前記取付溝底側で重合するように前側部材と後側部材に分割し、この重合程度を変更することで、厚さの異なるガラスに対応できるようにしたことを特徴とするショーケースのガラス枠。
【請求項２】
前記ガラス枠の前側部材のみを使用し、後側部材の代わりに手摺を使用し、この前側部材と手摺とを下部同士を重合して設置する請求項1記載のショーケースのガラス枠。
【発明の詳細な説明】
【技術分野】
【０００１】
本発明は食品の販売及び陳列を目的とする冷凍・冷蔵ショーケースのガラス枠に関する。
【背景技術】
【０００２】
冷凍・冷蔵ショーケースには、商品を取り出す扉付きのクローズドタイプと商品を取り出す扉の無いオープンタイプがあり、また、オープンタイプには主として惣菜、ドリンク類、アルコール飲料等を保冷するための陳列室が一つ以上あり、棚板に阻害されること無く前面にエアーカーテンを形成した多段式ショーケース（天井吹出型）と、主として惣菜、ドリンク類、アルコール飲料等を保冷するための陳列室が一つ以上あり、上面にエアーカーテンを形成した平形ショーケースがある。
【０００３】
図１０はこのようなオープンタイプの一例として催事用の冷凍と冷蔵の両面平形オープンショーケースを示すもので、上面が開口する断面コ字形の本体ケース１を備え、この本体ケース１は内側パネル板と外側パネル板と及びその間に充填されるウレタン発泡材などの断熱材からなる断熱パネルでなる外箱２と、この外箱２の内側に適当な間隙をおいて配置される内箱３とによって構成され、前記間隙が前後上端に吸込口４ａおよび吹出口４ｂを備える冷気循環路４を形成し、ここにファン５及び蒸発器（エバポレータ）６が配設される。
【０００４】
ショーケースの保冷運転時には図示矢印のように冷風が循環送風され、その循環通風の途上で蒸発器（エバポレータ）６との熱交換により低温になった冷気が庫内に吹き出して、ケース本体の上面開放面を閉塞する冷気エアーカーテン７を形成し、これが内箱３内の商品収納スペース８に陳列した商品を保冷することは周知の通りである。
【０００５】
同様な平形オープンショーケースは下記特許文献にも示されている。
【特許文献１】特許３１８６４２９号公報
【０００６】
ショーケースの本体ケース１のトップには、遮蔽板としてのガラス９が下端部を取付溝１０に挿入支持されて直立設置され、又取付溝１０に上端部を係止させて外箱２の前面上に化粧パネル１１が取り付けられる。この化粧パネル１１はプライスプレートを取り付けるプライスを構成する。
【０００７】
なお、多段式ショーケースについては、説明を省略する。
【０００８】
図１１、図１２に示すように、この取付溝１０はガラス枠（樹脂製）１２により形成されるもので、このガラス枠１２はその脚部１２ａを外箱２の断熱材２ｃ中に埋め込むことで、外箱２の上端の固定される。図１１は多段式ショーケースの場合、図１２は平形オープンショーケースの場合である。
【０００９】
図１１は、外箱２の断熱パネル厚さが薄く、ガラス９には比較的薄い単板ガラスを用いる場合、図１２は外箱２の断熱パネル厚さが厚く、ガラス９には比較的厚いガラスである、ペアガラス（積層ガラス）等を用いる場合である。図中１６はヒーターである。
【００１０】
図１３は平形オープンショーケース（冷凍）において、ガラス９を取り付けずに手摺１３をショーケースの本体ケース１のトップに設けた場合である。
【００１１】
手摺１３は形材によるものであり、後方側を下方に直角に折曲げてビス止め片１３ａを形成してビス１５で止める。
【００１２】
このようなガラス枠（樹脂製）１２や手摺１３を使用する場合、前記化粧パネル１１は、正確にはガラス枠（樹脂製）１２や手摺１３に形成するスリットに上端部を引掛けて係止させ、下端部は外箱２の外側パネル板に添わせてビス１５で止める。
【００１３】
図中、１４は前面化粧板で、上端を前記化粧パネル１１にビス１５で止める。
【００１４】
図１４は多段式ショーケースでガラスなしの場合であり、手摺１３をショーケースの本体ケース１の外箱２のトップに設ける点については、前記図１３と同じであり、図示の例では、ガード１７を添設している。
【発明の開示】
【発明が解決しようとする課題】
【００１５】
このように冷凍・冷蔵ショーケースのガラス枠１２は、ショーケースの種類にかかわらず、ガラスの厚さの異なる種類毎に、それに合わせたものを準備しなければならず、ガラス枠（樹脂製）を新規に型を製作し部品としても専用で購入する必要があり、コスト面でデメリットである。
【００１６】
本発明の目的は前記従来例の不都合を解消し、ガラスの厚みに関係なく共通で前後の部品が使用でき、コスト面、生産面、在庫管理面などで効果あるショーケースのガラス枠を提供することにある。
【課題を解決するための手段】
【００１７】
請求項１記載の本発明は、断熱パネルで構成するショーケースの本体ケースのトップに遮蔽板としてのガラスを直立設置する取付溝を形成するため設けるショーケースのガラス枠において、ガラス枠を前記取付溝底側で重合するように前側部材と後側部材に分割し、この重合程度を変更することで、厚さの異なるガラスに対応できるようにしたことを要旨とするものである。
【００１８】
請求項１記載の本発明によれば、ガラス枠（下）を前後で分割し、ガラス厚みにフレキシブルに対応することができる。
【００１９】
請求項２記載の本発明は、前記ガラス枠の前側部材のみを使用し、後側部材の代わりに手摺を使用し、この前側部材と手摺とを下部同士を重合して設置することを要旨とするものである。
【００２０】
請求項２記載の本発明によれば、手摺を設ける場合でも、ガラス枠の前側部材との組み合わせで設置できるので、前後に幅の狭い薄い手摺部材ですみ、ガラス板を使用しない場合でも、ガラス枠の一部の有効利用を図ることができる。
【発明の効果】
【００２１】
以上述べたように本発明のショーケースのガラス枠は、ガラス枠（下）を前後で分割し、ガラス厚みにフレキシブルに対応することができるので、ガラスの厚みに関係なく共通で前後の部品が使用でき、コスト面、生産面、在庫管理面などで効果のあるものである。
【発明を実施するための最良の形態】
【００２２】
以下、図面について本発明の実施形態を詳細に説明する。図１は本発明の第１実施形態を示す縦断側面図で、多段式ショーケースの場合である。
【００２３】
図１は前記従来例を示す図１１に対応するもので、同一構成要素には同一参照符号を付しているが、内側パネル板と外側パネル板と及びその間に充填されるウレタン発泡材などの断熱材からなる断熱パネルで構成するショーケースの本体ケースのトップに遮蔽板としてのガラス９を直立設置する取付溝１０を形成するため設けるショーケースのガラス枠１８である。
【００２４】
本発明はこのガラス枠１８は塩化ビニルを材質とするもので、図２、図３に示すように、前記取付溝１０の底側で重合するように前側部材１８ａと後側部材１８ｂに分割した。各前側部材１８ａと後側部材１８ｂは取付溝１０の底を形成する重合片１９ａ、１９ｂを形成してなり、これら重合片１９ａ、１９ｂにはビス孔２０を穿設している。
【００２５】
前側部材１８ａの重合片１９ａにはビス孔２０は複数形成してあり、後側部材１８ｂの重合片１９ｂと重ね合わせた際に、重合片１９ｂのビス孔２０と合致する重合片１９ａのビス孔２０を重ね合わせ程度で選択できるようにした。
【００２６】
また、前側部材１８ａの重合片１９ａには上向きの突起２１ａを、後側部材１８ｂの重合片１９ｂには突起２１ｂを突設して、これらを相互に係合させて重合片１９ａ、１９ｂの重ね合わせがずれないように配慮した。
【００２７】
このようにして、ガラス枠１８はショーケースの本体ケースのトップに設置する際に、取付溝１０底側で重合片１９ａ、１９ｂを重合させ、ビス孔２０をもってネジ２２で固定する。
【００２８】
図４は前記従来例を示す図１２に対応するものとして、平形オープンショーケースの場合で、外箱２の断熱パネル厚さが厚く、ガラス９には比較的厚いガラスである、ペアガラス（積層ガラス）等を用いる場合である。
【００２９】
図５は同じく平形オープンショーケースの場合であるが、ガラス９には比較的薄い単板ガラスを用いる場合である。
【００３０】
ガラス枠１８は重合片１９ａ、１９ｂの重合程度を変更することで、厚さの異なるガラスに対応できる。
【００３１】
図６、図７はガラスなしで手摺２３を設ける場合であるが、手摺２３は図８、図９に示すように、前記ガラス枠１８の前側部材１８ａのみを使用し、後側部材の代わりに手摺２３を使用し、この前側部材１８ａと手摺２３とを下部同士を重合してビス１５で固定して設置する。
【００３２】
手摺２３は下部に重合片２３ａを形成してあり、この重合片２３ａを前側部材１８ａの重合片１９ａに重ね合わせて、ビス１５で止める。
【図面の簡単な説明】
【００３３】
【図１】本発明のショーケースのガラス枠の１実施形態を示すもので、多段式ショーケースに設けた場合の縦断側面図である。
【図２】本発明のショーケースのガラス枠の１実施形態を示すもので、分解状態の縦断側面図である。
【図３】本発明のショーケースのガラス枠の１実施形態を示すもので、組立状態の縦断側面図である。
【図４】本発明のショーケースのガラス枠の１実施形態を示すもので、平形オープンショーケースの場合で、ガラスには比較的厚いガラスを用いる場合の縦断側面図である。
【図５】本発明のショーケースのガラス枠の１実施形態を示すもので、平形オープンショーケースの場合で、ガラスには比較的薄い単板ガラスを用いる場合の縦断側面図である。
【図６】本発明のショーケースのガラス枠の１実施形態を示すもので、平形オープンショーケースの場合で、ガラスなしで手摺を設ける場合の縦断側面図である。
【図７】本発明のショーケースのガラス枠の１実施形態を示すもので、多段式ショーケースの場合で、ガラスなしで手摺を設ける場合の縦断側面図である。
【図８】本発明のショーケースのガラス枠の１実施形態を示すもので、手摺との組み合わせを示す分解状態の縦断側面図である。
【図９】本発明のショーケースのガラス枠の１実施形態を示すもので、手摺との組み合わせを示す組立状態の縦断側面図である。
【図１０】平形オープンショーケースの全体構造を示す縦断側面図である。
【図１１】従来例を示すもので、多段式ショーケースの場合の縦断側面図である。
【図１２】従来例を示すもので、平形オープンショーケースの場合の縦断側面図である。
【図１３】従来例を示すもので、平形オープンショーケースの場合のガラスを取り付けずに手摺を設けた場合の縦断側面図である。
【図１４】従来例を示すもので、多段式ショーケースの場合のガラスを取り付けずに手摺を設けた場合の縦断側面図である。
【符号の説明】
【００３４】
１  本体ケース                  ２  外箱
２ａ  内側パネル板              ２ｂ  外側パネル板
２ｃ  断熱材                    ３  内箱
４  冷気循環路                  ４ａ  吸込口
４ｂ  吹出口                    ５  ファン
６  蒸発器（エバポレータ）      ７  冷気エアーカーテン
８  商品収納スペース            ９  ガラス
１０  取付溝                    １１  化粧パネル
１２  ガラス枠                  １２ａ  脚部
１３  手摺                      １３ａ  ビス止め片
１４  前面化粧板                １５  ビス
１６  ヒーター                  １７  ガード
１８  ガラス枠                  １８ａ  前側部材
１８ｂ  後側部材                １９ａ、１９ｂ  重合片
２０  ビス孔                    ２１ａ、２１ｂ  突起
２２  ネジ                      ２３  手摺
２３ａ  重合片
【図１】
2011250988.tif 000003
【図２】
2011250988.tif 000004
【図３】
2011250988.tif 000005
【図４】
2011250988.tif 000006
【図５】
2011250988.tif 000007
【図６】
2011250988.tif 000008
【図７】
2011250988.tif 000009
【図８】
2011250988.tif 000010
【図９】
2011250988.tif 000011
【図１０】
2011250988.tif 000012
【図１１】
2011250988.tif 000013
【図１２】
2011250988.tif 000014
【図１３】
2011250988.tif 000015
【図１４】
2011250988.tif 000016